(57)【要約】【課題】密封状態を長期にわたって保持し、内部に収納されたシートの湿潤状態を維持するとともに、リム部を摘み易く、また、当該シートを取り出しやすい、特に、厚く、嵩張るシートを取り出し易い、包装体を提供する。【解決手段】フラップ部３の先端部をシールしてセンターシール部４を形成するとともに、前記センターシール部４より基部側にシート７を取り出すために開封する雌雄ファスナー９，１０を形成し、前記フラップ部３を、前記包装体１の上面において、一方のまち部１３に近接して形成し、かつ前記フラップ部３を反転自在に包装体１の中心側に向けて配置し、前記フラップ部３を前記一方のまち部１３側に反転したとき、切り取り線部１１が前記一方のまち部３の面を越えて位置する関係とする。【選択図】図１
2004284633.tif 000002
【特許請求の範囲】
【請求項１】
湿潤状態のシートを、折り重ねて内部に収容し、前記シートを１枚ごとに取り出し可能としたピロー包装に際し、包装フィルムの側端部相互を合掌状態で筒状に製袋し、前記合掌させたフラップ部の先端部をシールしてセンターシール部を形成するとともに、前記センターシール部より基部側に前記シートを取り出すために開封する雌雄ファスナーを形成し、さらにセンターシール部と雌雄ファスナーとの間に切り取り線部を形成し；長手方向両端をそれぞれシールしてトップシール部としたガゼット包装体であって、
前記フラップ部を、前記包装体の上面において、一方のまち部に近接して形成し、かつ前記フラップ部を反転自在に包装体の中心側に向けて配置し、
前記フラップ部を前記一方のまち部側に反転したとき、切り取り線部が前記一方のまち部の面を越えて位置する位置関係にある、
ことを特徴とする包装体。
【請求項２】
前記雌雄ファスナーの長手方向の長さを、前記シートにおける雌雄ファスナー側の幅の１．４７〜２．０倍とした請求項１記載の包装体。
【請求項３】
前記包装体が蒸着フィルムからなる請求項１又は２記載の包装体。
【請求項４】
前記包装体のフィルム厚が５０μｍ以上である請求項１乃至３のいずれか１項に記載の包装体。
【請求項５】
前記雌雄ファスナーに着色が施されている請求項１乃至４のいずれか１項に記載の包装体。
【発明の詳細な説明】
【０００１】
【発明の属する技術分野】
本発明は、包装体に関する。
【０００２】
【従来の技術】
ウエットティッシュー等のシート厚が比較的厚い、湿潤状態のシートを収納する包装体としては、プラスティック成形の容器、若しくはフィルム状の蓋が包装体の上面に形成されたピロー包装体が用いられている。
【０００３】
ここで、フィルム状の蓋が包装体の上面に形成されたピロー包装体は、プラスティック成形の容器に比べて、製造コストを抑えることができるメリット等があるものの、フィルム状の蓋の外周と包装体の上面に形成された開口部の縁との間が、波打ったりシワが寄ることが多く、商品価値を低下させる。また、フィルム状の蓋と包装体の上面とは、粘着剤により着脱自在に取付けられているため、繰り返しの開封や再封を可能としているが、この繰り返しの使用により粘着剤の粘着力が低下し、密封状態が長期にわたって保たれない虞がある。さらに、フィルム状の蓋の外周と包装体の上面に形成された開口部の縁との間が、波打ったりシワが寄ることにより、フィルム状の蓋と包装体の上面との間に隙間が生じ、密封状態が保たれず、ウエットティッシュー等が乾燥してしまう虞もある。
【０００４】
そこで、これらの問題点を解決するために、従来例としては、素材がポリエチレン等のピロータイプの包装体で、かつフィルム状の蓋に変えて雌雄ファスナーにより開封と再封を可能とした包装体が紹介されている（例えば、特許文献１参照）。
【特許文献１】
特開平１０−１５７７６８号（４頁、図１〜図３）
【０００５】
【発明が解決しようとする課題】
しかしながら、上記従来例は、図８に示すように、包装体２０のフラップ部分２１（斜線部分）が短いため、図９に示す雌雄ファスナー２３より外部側に形成された縁、すなわち雌雄ファスナー２３を開閉するために摘むリム部２２が、まち部２４の面よりも奥まっており、このリム部２２を指で摘みにくいので開閉し難い。
【０００６】
また、雌雄ファスナー２３を開封したときに、フラップ部分２１（斜線部分）が短いため、大きく開放することができず、内部収納体２５を取り出しにくくなっている。特に、内部収納体２５が、シート厚が厚く、嵩張るウエットティッシューやウエットクリーナー等である場合には、大きく開放できないため、取り出し難いという問題点がある。
【０００７】
そこで、本発明の主たる課題は、密封状態を長期にわたって保持し、内部に収納されたシートの湿潤状態を維持するとともに、リム部を摘み易く、また、当該シートを取り出しやすい、特に、厚く、嵩張るシートを取り出し易い、包装体を提供することにある。
【０００８】
【課題を解決するための手段】
上記課題を解決した本発明は、次のとおりである。
＜請求項１記載の発明＞
請求項１に係る発明は、湿潤状態のシートを、折り重ねて内部に収容し、前記シートを１枚ごとに取り出し可能としたピロー包装に際し、包装フィルムの側端部相互を合掌状態で筒状に製袋し、前記合掌させたフラップ部の先端部をシールしてセンターシール部を形成するとともに、前記センターシール部より基部側に前記シートを取り出すために開封する雌雄ファスナーを形成し、さらにセンターシール部と雌雄ファスナーとの間に切り取り線部を形成し；長手方向両端をそれぞれシールしてトップシール部としたガゼット包装体であって、前記フラップ部を、前記包装体の上面において、一方のまち部に近接して形成し、かつ前記フラップ部を反転自在に包装体の中心側に向けて配置し、前記フラップ部を前記一方のまち部側に反転したとき、切り取り線部が前記一方のまち部の面を越えて位置する位置関係にある、ことを特徴とする包装体である。
【０００９】
（作用効果）
請求項１に係る発明では、雌雄ファスナーを有するフラップ部を、包装体の上面において、一方のまち部に近接して形成したので、シートを取り出す際、当該シートの側端部から引き出すことができるため、シートの取出しが容易である。
【００１０】
また、フラップ部を前記一方のまち部側に反転したとき、切り取り線部が一方のまち部の面を越えて位置する位置関係になるように、フラップ部の位置及び長さを調整したので、切り取り線部と雌雄ファスナーとの間に形成されるリム部を、まち部の面よりも張り出すことが可能である。そのため、当該リム部は摘み易く、開閉しやすくなっている。
【００１１】
また、フラップ部は反転自在に形成されているので、閉塞時は、当該フラップ部を包装体の中心側に向けて反転させておけるため、リム部や雌雄ファスナーが邪魔になることはない。
【００１２】
さらに、フラップ部分が長くなっているため、雌雄ファスナーを開封したときに、従来例に比べて、より大きく開放することができ、シートを取り出しやすくなっている。特に、厚く、嵩張る、シートであるウエットティッシュー等を取り出しやすくなっている。
【００１３】
＜請求項２記載の発明＞
請求項２に記載の発明は、前記雌雄ファスナーの長手方向の長さを、前記シートにおける雌雄ファスナー側の幅の１．４７〜２．０倍とした請求項１記載の包装体である。
【００１４】
（作用効果）
請求項２に記載の発明は、雌雄ファスナーの長手方向の長さを、シートにおける雌雄ファスナー側の幅の１．４７〜２．０倍としたことにより、シート幅に対するファスナーの長さが好適となるため、シートの取出しが容易となる十分な広い開封口を確保できるとともに、シートの取り出しの際に、シート端部を摘むことが可能となることで、シートの取出しが容易となる。
【００１５】
＜請求項３記載の発明＞
請求項３記載の発明は、前記包装体が蒸着フィルムからなる請求項１又は２記載の包装体である。
【００１６】
（作用効果）
請求項３記載の発明は、包装体が蒸着フィルムからなるため、包装体内部に収納されたシートからの蒸散を抑えることが可能となり、シートの乾燥を防いで、密封状態を長期にわたって維持することができる。
【００１７】
＜請求項４記載の発明＞
請求項４記載の発明は、包装体のフィルム厚が５０μｍ以上である請求項１乃至３のいずれか１項に記載の包装体である。
【００１８】
（作用効果）
請求項４記載の発明では、包装体のフィルム厚を５０μｍ以上と厚くしたため、フラップ部に張りをもたせ、反転自在性を確保するとともに、このフラップ部をまち部側に反転させた状態を維持しやすく、シートの取り出しが容易となっている。また、フィルムが厚いために、包装体内部に収納されたシートからの蒸散を抑制できる。
【００１９】
＜請求項５記載の発明＞
請求項５に記載の発明は、雌雄ファスナーに着色が施されている請求項１乃至４のいずれか１項に記載の包装体である。
【００２０】
（作用効果）
請求項５に記載の発明では、雌雄ファスナーに着色が施されているため、ファスナー位置の判断が容易であり、開封の目印とすることが可能である。また、ファスナーの開封状態と密封状態とで、ファスナーの色の濃淡等に差が出るので、ファスナーの開閉の際に、色の濃淡等により、ファスナーの咬合が不完全か否かの判別が容易である。このため、ファスナーの咬合を完全に行うことができ、密封状態の維持が可能となる。
【００２１】
【発明の実施の形態】
以下、本発明の実施の形態を説明する。
図１は、本発明に係る包装体の一実施形態を示している。包装体１は、一枚の包装フィルムの、側端部２相互を合掌状態で筒状に製袋し、この合掌させたフラップ部分３の先端を、熱シール等によりシールし、センターシール部４を形成し、さらに、包装体１の長手方向端部５を、熱シール等によりシールしてトップシール部６を形成した、ピロータイプのガゼット包装体である。
【００２２】
なお、包装体１に内装されるシート７は、ウエットティッシュー、除菌クリーナー、ウエットクリーナー等の湿潤状態のシートであり、複数枚を積層させている。これらシート７は、積層させているので、ある程度の高さ（例えば、４．５ｃｍ）を有するため、ガゼット８を設け、まち部１３を包装体１の側面に形成している。
【００２３】
ここで、図５に示すように、フラップ部分３には、センターシール部４よりもフラップ部分３の基部側に雌雄ファスナー９，１０が形成されている。この雌雄ファスナー９，１０により、開封と再封を可能とし粘着剤を使用しないため、密封状態が長期にわたって保たれる。
【００２４】
また、この雌雄ファスナー９，１０とセンターシール部４との間には、切断用ミシン目等の切り取り線部１１が形成されている。そして、図２に示すように、切り取り線部１１に沿って、手やハサミで、センターシール部４を切り落とすと、切り取り線部１１と雌雄ファスナー９，１０との間に、リム部１２が現れる。
ここで、センターシール部４は、販売の際に、本発明に係る包装体１に内装されるシート７が、過って包装体１の外部に露出してしまうことを確実に防止し、品質を保証するために形成されている。また、図３に示すように、リム部１２は、雌雄ファスナー９，１０を開くために指で摘む部分である。このリム部１２は、図６に示すように、まち部１３の面よりも張り出しているので、図３に示すように、指で摘み易くなっており、雌雄ファスナー９，１０を開閉しやすくなっている。
【００２５】
また、フラップ部３は反転自在に形成されているので、雌雄ファスナー９，１０が閉塞された状態のときは、当該フラップ部３を包装体１の中心側に向けて反転させ、図５に示すように、包装体１の上面に重ねた状態にしておけるため、リム部１２や雌雄ファスナー９，１０が邪魔になることはない。
【００２６】
ここで、包装フィルムとしては、フィルム厚が５０μｍ以下では、フラップ部３の反転が十分でなく、また、リム部１２も張りが弱くなる虞があるため、フィルム厚が５０μｍとすることにより、フラップ部３の張りをもたせ、当該フラップ部３の反転自在性を確保し、フラップ部３を包装体１の中心側に向けて反転させ、包装体１の上面に重ねた状態を保持させることができる。また、このフラップ部をまち部１３側に反転させた状態を維持しやすく、シート７の取り出しが容易になる。さらに、フィルムが厚いために、包装体１内部に収納されたシート７からの蒸散を抑制できる。
【００２７】
また、包装フィルムの材質として好適なのは、ポリエチレンテレフタレート、ポリプロピレン、ポリエチレン等である。
【００２８】
なお、蒸着フィルムとしては、アルミナを蒸着させたポリエチレンテレフタレートを採用し、上記材質の包装フィルムを上・下層として、これらの中間に蒸着フィルムを貼り付けた三層構造とすることが好ましい。包装体１を蒸着フィルムとすると、包装体１内部に収納されたシート７からの蒸散を抑えることが可能となり、シート７の乾燥を防いで、密封状態を長期にわたって維持することができる。
【００２９】
雌雄ファスナー９，１０は、図７に示すように、雄咬合子９ａ，１０ａと雌雄咬合子９ｂ，１０ｂを備えている。雄咬合子９ａ，１０ａと雌咬合子９ｂ，１０ｂの形状の一例としては、雄咬合子９ａ，１０ａは断面略Ｔ字型であり、雌咬合子９ｂ，１０ｂは断面略Ｃの字型で、雄咬合子９ａ，１０ａの先端と雌咬合子９ｂ，１０ｂ先端とが、咬合しあうことで、雌雄ファスナー９，１０が閉じられるようになっている。そのため、隙間が生じることなく密封状態が保たれ、湿潤状態のシートが乾燥してしまう虞がない。また、雌雄ファスナー９，１０の二重構造を採用しているため、図９に示した従来例に比べて、密封状態を確実にしている。
【００３０】
具体的には、この断面略Ｔ字型の雄咬合子９ａ，１０ａと断面略Ｃの字型の雌咬合子９ｂ，１０ｂを備えた雌雄ファスナー９，１０を二重構造にして、かつ上記の蒸着フィルムを採用することにより、雌雄ファスナー９，１０を閉塞させた状態で、包装体１を２４時間５０℃の条件で放置した場合の蒸散量が１ｇ以下と密封性に優れるため、シート７がウエットティッシュー、ウエットクリーナー等の湿潤状態のシートである場合には、薬液中にアルコール、グリコールエーテルなど水よりも蒸散速度の速い成分を２０％以上含むときでも、密封状態を確保することができ、湿潤状態を長期に維持することが可能である。
【００３１】
なお、雌雄ファスナー９，１０において、図７に示すように、フラップ部３の内部の一方の面に雄咬合子９ａ、雌咬合子１０ｂ、他方の面に雌咬合子９ｂ、雄咬合子１０ａと交互に並ぶため、二重構造であっても、開封や再封をしやすくなっている。また、これら雌雄ファスナー９，１０に包装体１の色とは異なる着色をしておけば、好ましくは目立つ色を着色しておけば、開封の目印とすることが可能である。また、雌雄ファスナー９，１０の開封状態と密封状態とで、ファスナーの色の濃淡等に差が出るので、雌雄ファスナー９，１０の開閉の際に、色の濃淡等により、ファスナーの咬合が不完全か否かの判別が容易である。このため、ファスナーの咬合を完全に行うことができ、密封状態の維持が可能となる。
【００３２】
これら雌雄ファスナー９，１０を備えたフラップ部分３は、包装体１の上面に形成されている。したがって、この雌雄ファスナー９，１０の開封の際に、ウエットティッシュー、ウエットクリーナー等の湿潤状態のシートからによる液体が、外部にこぼれだす虞がない。
【００３３】
また、フラップ部分３は、図１、図５に示すように、一方のまち部１３に近接して形成されているので、図４に示すように、シート７を側部から引き出すことができるため、当該フラップ部分３を包装体１の上面中央に形成した場合よりも、シート７を取り出し易い。さらに、当該フラップ部分３は、図９に示した従来例のフラップ部分２１に比べて長くなっているので、雌雄ファスナー９，１０を開封しやすくなっており、また、雌雄ファスナー９，１０を開封したときに、従来例に比べて、より大きく開放することができ、図４に示すように、シート７を取り出しやすくなっている。特に、シート厚が厚く、嵩張る、シートである除菌クリーナーやウエットクリーナー等を取り出しやすくなっている。
【００３４】
ここで、雌雄ファスナーの長手方向の長さを、シート７における雌雄ファスナー９，１０側の幅の１．４７倍未満としたとき、開口の大きさが狭すぎ、シート７を取り出しにくく、また、２．０倍以上としたとき、シート７と開口の大きさとのバランスが美観上悪いため、取り出し易くするためには、雌雄ファスナー９，１０の長手方向の長さを、シート７における雌雄ファスナー９，１０側の幅の１．４７〜２倍にすることが好ましい。雌雄ファスナーの長手方向の長さを、シート７における雌雄ファスナー９，１０側の幅の１．４７〜２．０倍とすることにより、シート７は幅に対するファスナーの長さが好適となるため、シート７の取出しが容易となる十分な広い開封口を確保できるとともに、シート７の取り出しの際に、シート７端部を摘むことが可能となることで、シート７の取出しが容易となる。
【００３５】
なお、上記に示した実施の形態では、包装体１にガゼット８を設けているが、本発明ではこれに限られるものではなく、ガゼット８を設けない包装体も考えられる。また、シート７においても、ウエットティッシュー、除菌クリーナー、ウエットクリーナー等の湿潤状態のシートに限られるものではなく、各種のものに適用できる。
【００３６】
【発明の効果】
以上のとおり、本発明では、雌雄ファスナーを有するフラップ部を、包装体の上面において、一方のまち部に近接して形成したので、シートを取り出す際、当該シートの側端部から引き出すことができるため、シートの取出しが容易である。また、フラップ部を前記一方のまち部側に反転したとき、切り取り線部が一方のまち部の面を越えて位置する位置関係になるように、フラップ部の位置及び長さを調整したので、切り取り線部と雌雄ファスナーとの間に形成されるリム部を、まち部の面よりも張り出すことが可能である。そのため、当該リム部は摘み易く、容易に開封できる。また、フラップ部は反転自在に形成されているので、閉塞時は、当該フラップ部を包装体の中心側に向けて反転させておけるため、リム部や雌雄ファスナーが邪魔になることはない。さらに、フラップ部分が長くなっているため、雌雄ファスナーを開封したときに、従来例に比べて、より大きく開放することができ、内部収納体を容易に取り出すことができる。特に、紙厚が厚く、嵩張る、内部収納体である除菌クリーナーやウエットクリーナー等を容易に取り出すことができる、等の利点がもたらされる。
【図面の簡単な説明】
【図１】本発明に係る包装体の一実施形態を示す斜視図である。
【図２】本発明に係る包装体の一実施形態において、切り取り線部の切り取りを説明する図である。
【図３】本発明に係る包装体の一実施形態において、開封を説明する図である。
【図４】本発明に係る包装体の一実施形態において、内部収納体の取り出しを説明する図である。
【図５】本発明に係る包装体の一実施形態の、フラップ部を包装体の中心側に向けて反転させた状態の断面図である。
【図６】本発明に係る包装体の一実施形態の、フラップ部をまち部側に反転させた状態の断面図である。
【図７】雌雄ファスナーを示す部分斜視図である。
【図８】従来例の包装体を示す斜視図である。
【図９】従来例の包装体を示す断面図である。
【符号の説明】
１…包装体、２…包装体側端部、３…フラップ部、４…センターシール部、５…包装体長手方向端部、６…トップシール部、７…シート、８…ガゼット、９，１０…雌雄ファスナー、９ａ，１０ａ…雄咬合子、９ｂ，１０ｂ…雌咬合子、１１…切り取り線部、１２…リム部、１３…まち部、２０…従来例の包装体、２１…フラップ部、２２…リム部、２３…雌雄ファスナー、２４…まち部、２５…内部収納体。
【図１】
2004284633.tif 000003
【図２】
2004284633.tif 000004
【図３】
2004284633.tif 000005
【図４】
2004284633.tif 000006
【図５】
2004284633.tif 000007
【図６】
2004284633.tif 000008
【図７】
2004284633.tif 000009
【図８】
2004284633.tif 000010
【図９】
2004284633.tif 000011